(57)【要約】  除菌作業時の省スペース性と各種サイズの除菌対象物への対応性と未使用時における収納性に優れ、しかも、除菌対象物の隅々まで除菌可能な除菌シートを提供する。  除菌シート１はフレキシブルなシート本体２とシート収納体３と取手体４とを備える。シート本体２は、誘電体２０とこの誘電体２０内部に収納された１対の電極２１，２２とで形成される。シート収納体３は、シート本体２を引き出し及び巻き取り可能に収納した筒状体であり、ケース３０と回転体３１と巻取機構５とを備える。巻取機構５は、シート収納体３から引き出されたシート本体２を自動的にシート収納体３に巻き取らせるための機構である。取手体４は、シート本体２の先端部に取り付けられており、その内部に、電池４１とスイッチ機構４２と昇圧回路４３とモニタ回路４４とを有している。
2016190139.tif 000002
【特許請求の範囲】
【請求項１】
シート状の誘電体と少なくとも一方の電極がこの誘電体内部に収納された１対の電極とで形成されたフレキシブルなシート本体と、
引き出し及び巻き取り可能に上記シート本体が収納されたシート収納体と、
上記シート本体の先端に取り付けられ且つオゾン発生に必要な電圧を上記１対の電極に供給可能な電源が収納された取手体と
を備えることを特徴とする除菌シート。
【請求項２】
請求項１に記載の除菌シートにおいて、
上記シート本体の少なくとも上記誘電体を、高分子樹脂で形成した、
ことを特徴とする除菌シート。
【請求項３】
請求項１又は請求項２に記載の除菌シートにおいて、
上記１対の電極のそれぞれは、櫛歯状に形成され、１対の電極の櫛歯同士が、一定間隔を保って、噛み合っている、
ことを特徴とする除菌シート。
【請求項４】
請求項１ないし請求項３のいずれかに記載の除菌シートにおいて、
上記シート収納体から引き出された上記シート本体を自動的に上記シート収納体に巻き取らせるための巻取機構を設けた、
ことを特徴とする除菌シート。
【請求項５】
請求項１ないし請求項４いずれかに記載の除菌シートにおいて、
上記電源は、上記シート収納体又は取手体のいずれかに収納された電池である、
ことを特徴とする除菌シート。
【請求項６】
請求項５に記載の除菌シートにおいて、
上記シート本体がシート収納体から引き出されると上記電源がオンになり且つ上記シート本体が上記シート収納体に収納されると電源がオフになるスイッチ機構を設けた、
ことを特徴とする除菌シート。
【請求項７】
請求項５又は請求項６に記載の除菌シートにおいて、
上記電源のオン又はオフの状態，電池残量及び動作時間のいずれか又は全てを表示するモニタ回路を、上記シート収納体又は取手体のいずれかに設けた、
ことを特徴とする除菌シート。
【請求項８】
請求項１，請求項２，請求項４ないし請求項７のいずれかに記載の除菌シートにおいて、
上記１対の電極の一方の電極を、上記誘電体内部に収納し、多数の孔を有した上記他方の電極又は櫛歯状の上記他方の電極のいずれかを、当該一方の電極に対向させた状態で、上記誘電体の表面に配設した、
ことを特徴とする除菌シート。
【発明の詳細な説明】
【技術分野】
【０００１】
この発明は、除菌対象物である電子機器等の除菌を行うための除菌シートに関するものである。
【背景技術】
【０００２】
一般に、電子機器であるパソコンのキーボード等のゴミを清掃する場合には、例えば、特許文献１に記載された専用の掃除具やエアブローを使用するが、これらの用具では、電子機器に付着した菌を除菌することができない。
したがって、電子機器を除菌する場合には、洗剤や消毒液を用いて、洗い落とす等する必要がある。しかし、キーボード等の電子機器の場合には、洗剤で洗い落とした後、２度拭きする必要があるだけでなく、多数のキーボタンについてこれらの作業をする必要があるので、かなり手間を要する。また、消毒液を用いる場合には、消毒液で拭く手間を要するだけでなく、消毒液によって、かぶれ等を引き起こすおそれもある。【０００３】
このような手間のかかる作業を省略することができる技術として、例えば、特許文献２に記載の殺菌装置が提案されている。
この殺菌装置は、箱状の装置自体をパソコンのキーボード等に覆い被せた後、紫外線ランプ等の殺菌灯を点灯して、紫外線等の殺菌線を一定時間キーボード等の上に放射することで、キーボードに付着した細菌を殺菌することができる構造になっている。
【先行技術文献】
【特許文献】
【０００４】
【特許文献１】特開２００４−３１３６９１号公報
【特許文献２】特開２０１０−２２０９８４号公報
【発明の概要】
【発明が解決しようとする課題】
【０００５】
しかし、上記した従来の技術では、次のような課題があった。
すなわち、上記した殺菌装置では、装置を箱状に形成して、キーボード等の電子機器上に被せる構造であるので、装置自体が大型になりがちである。このため、狭いデスク上で使用することが難しい。
また、装置自体である箱のサイズが固定されているため、各種サイズの電子機器に対応することができない。このため、各種サイズの電子機器を除菌する場合には、各サイズに合ったサイズの装置を作成又は購入しなければならなかった。
さらに、この装置は、分解したり又は折り畳んだりして、小さくすることができない。このため、不使用時における装置の保管に大きなスペースが必要となっていた。
また、紫外線ランプ等の殺菌線が当たる部分は、キーボード等のキーボタン表面に限定される。このため、キーボタン側面やキーボタン奥の狭い隙間部分の除菌が、困難であった。
電子機器以外の除菌対象物においても、このような課題があった。【０００６】
この発明は、上述した課題を解決するためになされたもので、除菌作業時の省スペース性と各種サイズの除菌対象物への対応性と未使用時における収納性に優れ、しかも、除菌対象物の隅々まで除菌可能な除菌シートを提供することを目的とする。
【課題を解決するための手段】
【０００７】
上記課題を解決するために、請求項１の発明に係る除菌シートは、シート状の誘電体と少なくとも一方の電極がこの誘電体内部に収納された１対の電極とで形成されたフレキシブルなシート本体と、引き出し及び巻き取り可能にシート本体が収納されたシート収納体と、シート本体の先端に取り付けられ且つオゾン発生に必要な電圧を１対の電極に供給可能な電源が収納された取手体とを備える構成とした。
かかる構成により、使用時には、取手体を掴んで、シート本体をシート収納体から引き出すことができる。このシート本体の引き出し量を、キーボード等の除菌対象物のサイズに合わせることで、フレキシブルなシート本体を除菌対象物の形状に合わせて直接被せることができる。このため、除菌対象物の除菌を狭いデスク上でも行うことができる。つまり、除菌作業時の省スペース化を図ることができる。
また、取手体を掴んで、シート本体をシート収納体から引き出したり、シート収納体内に巻き戻したりすることで、シート本体の長さを調整することができるので、１台の除菌シートで、キーボードだけでなく、マウスやスマートフォン等、各種サイズの除菌対象物の除菌にも使用することができる。つまり、この発明の除菌シートでは、各サイズに合ったサイズの装置を作成又は購入する必要がなく、１台で各種サイズの除菌対象物を除菌することができるというサイズ対応性が図られている。
かかる状態で、電源がオンになっていると、オゾンがシート本体から発生し、除菌対象物を除菌する。このとき、オゾンがガス状であるため、オゾンは、キーボード等の表面だけでなく、キーボタン側面やキーボタン奥の狭い隙間部分まで回り込み、除菌対象物の隅々まで除菌することとなる。
除菌終了後は、電源をオフにすることで、シート本体からのオゾン発生を停止させることができる。そして、シート本体をシート収納体内に巻き取り、シート本体全体をシート収納体内に収納することができる。かかるシート本体の収納状態では、除菌シートは、シート収納体と取手体が並んだコンパクトな形態になる。このため、除菌シートを保管するために、大きなスペースが必要でなくなる。つまり、この発明の除菌シートは、保管時に場所を取らないので、未使用時における収納性に優れている。【０００８】
請求項２の発明は、請求項１に記載の除菌シートにおいて、シート本体の少なくとも誘電体を、高分子樹脂で形成した構成とする。
かかる構成により、少なくとも誘電体が高分子樹脂で形成されたシート本体によって、オゾンを発生することができる。
通常は、オゾン発生体の材料として、セラミックスを用いるが、この発明のように、オゾン発生体として、少なくとも誘電体が高分子樹脂のシートを用いることで、除菌シートの薄型化、軽量化及びオゾン発生部分の広面積化を図ることができる。【０００９】
請求項３の発明は、請求項１又は請求項２に記載の除菌シートにおいて、１対の電極のそれぞれは、櫛歯状に形成され、１対の電極の櫛歯同士が、一定間隔を保って、噛み合っている構成とした。
かかる構成により、櫛歯同士が一定間隔を保って噛み合っている１対の電極間で放電現象が起こり、オゾンが発生する。【００１０】
請求項４の発明は、請求項１ないし請求項３のいずれかに記載の除菌シートにおいて、シート収納体から引き出されたシート本体を自動的にシート収納体に巻き取らせるための巻取機構を設けた構成とする。
かかる構成により、シート本体をシート収納体から引き出した後、巻取機構によって、引き出されたシート本体を自動的にシート収納体に巻き取らせることができる。【００１１】
請求項５の発明は、請求項１ないし請求項４いずれかに記載の除菌シートにおいて、電源は、上記シート収納体又は取手体のいずれかに収納された電池である構成とした。
かかる構成により、外部電源からのケーブルを必要としなくなるため、その分、小型化と携帯性を高めることができる。【００１２】
請求項６の発明は、請求項５に記載の除菌シートにおいて、シート本体がシート収納体から引き出されると電源がオンになり且つシート本体がシート収納体に収納されると電源がオフになるスイッチ機構を設けた構成とする。
かかる構成により、シート本体をシート収納体から引き出すと、スイッチ機構によって、電源がオンになり、シート本体をシート収納体に収納すると、スイッチ機構によって、電源がオフになる。【００１３】
請求項７の発明は、請求項５又は請求項６に記載の除菌シートにおいて、電源のオン又はオフの状態，電池残量及び動作時間のいずれか又は全てを表示するモニタ回路を、シート収納体又は取手体のいずれかに設けた構成とする。
かかる構成により、モニタ回路によって、現時点での、電源，電池残量及び動作時間の状態を容易に視認することができる。【００１４】
請求項８の発明は、請求項１，請求項２，請求項４ないし請求項７のいずれかに記載の除菌シートにおいて、１対の電極の一方の電極を、誘電体内部に収納し、多数の孔を有した他方の電極又は櫛歯状の他方の電極のいずれかを、当該一方の電極に対向させた状態で、誘電体の表面に配設した構成とする。
【発明の効果】
【００１５】
以上詳しく説明したように、この発明の除菌シートによれば、除菌作業を狭いデスク上でも行うことができるので、除菌作業時における省スペース性に優れているという効果がある。
また、この発明の除菌シートは、１台で各種サイズの除菌対象物を除菌することができるので、サイズ対応性に優れている。
また、この発明の除菌シートによれば、除菌対象物の表面だけでなく、隅々まで除菌することができるという効果がある。
さらに、この発明の除菌シートは、保管時に場所を取らないので、未使用時における収納性に優れている。【００１６】
特に、請求項２の発明によれば、オゾン発生体として、少なくとも誘電体が高分子樹脂のシートを用いるので、除菌シートの薄型化、軽量化及びオゾン発生部の広面積化を図ることができるという優れた効果がある。【００１７】
さらに、請求項５の発明によれば、小型化と携帯性を向上させることができるという効果がある。
【図面の簡単な説明】
【００１８】
【図１】この発明の第１実施例に係る除菌シートの引出状態を示す斜視図である。
【図２】除菌シートの収納状態を示す斜視図である。
【図３】除菌シートを破断して示す概略平面図である。
【図４】図３の矢視Ａ−Ａ断面図である。
【図５】巻取機構を示す概略断面図である。
【図６】スイッチ機構の構成を示す概略断面図である。
【図７】モニタ回路の電池残量メータと電源ランプとを示す概略断面図である。
【図８】除菌シートの使用例を示す側面図であり、図８の（ａ）は、シート本体をシート収納体に収納した状態を示し、図８の（ｂ）は、シート本体をシート収納体から引き出した状態を示す。
【図９】シート本体からのオゾン発生状態を示す概略図である。
【図１０】除菌シートをデスクトップパソコンのキーボード等の除菌に用いた例を示す斜視図である。
【図１１】除菌シートを他の電子機器の除菌に用いた例を示す斜視図であり、図１１の（ａ）は、ノートパソコンの除菌に用いた例を示し、図１１の（ｂ）は、スマートフォンの除菌に用いた例を示す。
【図１２】除菌シートを電子機器以外の除菌対象物に用いた例を示す斜視図であり、図１２の（ａ）は、雑巾の除菌に用いた例を示し、図１２の（ｂ）は、タオルの除菌に用いた例を示し、図１２の（ｃ）は、まな板の除菌に用いた例を示し、図１２の（ｄ）は、スリッパの除菌に用いた例を示し、図１２の（ｅ）は、おもちゃの除菌に用いた例を示す。
【図１３】この発明の第２実施例に係る除菌シートの要部を示す断面図である。
【図１４】図１３に示す要部を分解して示す斜視図である。
【図１５】第２実施例の電極の変形例を示す平面図である。
【発明を実施するための形態】
【００１９】
以下、この発明の最良の形態について図面を参照して説明する。
【００２０】
（実施例１）
図１は、この発明の第１実施例に係る除菌シートの引出状態を示す斜視図であり、図２は、除菌シートの収納状態を示す斜視図である。
図１に示すように、この実施例の除菌シート１は、シート本体２とシート収納体３と取手体４とを備えている。
【００２１】
シート本体２は、オゾンを発生するフレキシブルな帯状体である。
図３は、除菌シートを破断して示す概略平面図であり、図４は、図３の矢視Ａ−Ａ断面図である。
図３に示すように、シート本体２は、シート状の誘電体２０とこの誘電体２０内部に収納された１対の電極２１，２２とで形成されている。
具体的には、図４に示すように、誘電体２０は、２層の誘電体層２０ａ，２０ｂで構成されており、電極２１，２２が下層の誘電体層２０ｂ上に形成され、上層の誘電体層２０ａが、電極２１，２２を覆うように、誘電体層２０ｂ上に積層されている。
このようなシート本体２は、全て高分子樹脂で形成されている。この実施例では、誘電体層２０ａ，２０ｂを、それぞれポリイミド樹脂で形成しただけでなく、電極２１，２２も高分子樹脂である導電性ポリマーで形成した。このようにシート本体２全体を高分子樹脂で形成することで、シート本体２のフレキシブル性を高めると共に、シート本体２の薄型化、軽量化及びオゾン発生部分の広面積化を図っている。
また、図３に示すように、１対の電極２１，２２のそれぞれは、櫛歯状に形成され、これら櫛歯２１ａ，２２ａ同士が、一定間隔を保って、噛み合っている。
【００２２】
シート収納体３は、上記のごときシート本体２を、引き出し及び巻き取り可能に収納した筒状体である。
具体的には、シート収納体３は、筒状のケース３０と、ケース３０内に回転自在に取り付けられた回転体３１とを有している。上記シート本体２は、その一方端部が回転体３１に固着された状態で、回転体３１に巻き付けられている。これにより、シート本体２の一方端部をケース３０の外方（図３の上方）に引っ張ることにより、回転体３１が回転して、シート本体２をケース３０から引き出すことができる。そして、回転体３１を逆回転させることで、シート本体２を回転体３１に巻き取り、シート本体２全体を回転体３１に巻き付けることができる。
【００２３】
このようなシート収納体３には、巻取機構５が組み付けられている。
巻取機構５は、シート収納体３から引き出されたシート本体２を自動的にシート収納体３に巻き取らせるための機構であり、この実施例では、特開１９９６−２９６３８１号公報に記載の技術と類似する技術を用いた。
図５は、巻取機構５を示す概略断面図である。
図５に示すように、巻取機構５は、弾性力蓄積部５Ａとストッパ部５Ｂとでなる。
【００２４】
弾性力蓄積部５Ａは、シート本体２が引き出されたときに、シート本体２を引き戻す弾性力を蓄積する部分である。
具体的には、シート本体２が巻き付けられた円筒状の回転体３１の右側軸３１ａが、ケース３０の右側壁３０ａに軸受３１ｂを介して回転自在に支持されており、弾性力蓄積部５Ａの円筒体５０が、この回転体３１内面に固定されている。そして、遊星歯車装置５１が、この円筒体５０の右端部に固着され、スパイラルロッド５２が、遊星歯車装置５１の図示しない太陽歯車に連結されている。さらに、移動体５３が、このスパイラルロッド５２に螺合されている。この移動体５３は、図５の左側に突出した角筒体５３ａを有している。
これにより、回転体３１が回転すると、弾性力蓄積部５Ａの円筒体５０が、回転体３１と一体に回転すると共に、遊星歯車装置５１の図示しない内歯歯車が回転する。そして、この内歯歯車の回転が、図示しない複数の惑星歯車を介して、太陽歯車に伝達され、スパイラルロッド５２がギヤ比に対応した所望の速度で回転する。
一方、ケース３０の左側壁３０ｂには、右方に突出した角筒体５４が固着され、この角筒体５４が、移動体５３の角筒体５３ａに嵌合されている。
円筒体５０の左端部は、このような角筒体５４に軸受３１ｃを介して回転自在に支持されている。そして、コイルスプリング５５が、円筒体５０内であって且つ角筒体５４の外側に嵌められている。
つまり、角筒体５４は、回転体３１や円筒体５０が回転しても回転しない構造になっている。これにより、スパイラルロッド５２が回転すると、移動体５３が回転しようとするが、角筒体５３ａが固定状態の角筒体５４に嵌合しているため、回転することができない。このため、移動体５３は、スパイラルロッド５２の回転方向に応じて、スパイラルロッド５２上を左右に移動することとなる。この結果、移動体５３が、左方向に移動すると、コイルスプリング５５が圧縮されて、弾性力が蓄積される。逆に、移動体５３が、右方向に移動すると、コイルスプリング５５が復旧して、コイルスプリング５５に蓄積された弾性力が解放される。
【００２５】
一方、ストッパ部５Ｂは、従来周知のラッチ機構で形成されており、シート本体２を引き出す方向への回転体３１の回転を許容し、シート本体２を巻き取る方向への回転体３１の回転を阻止する機能を有する。さらに、このストッパ部５Ｂは、回転体３１の回転阻止状態から、回転体３１を回転許容方向にわずかに回転させると、回転体３１の回転阻止状態を解除する機能をも有する。
【００２６】
図３に示すように、取手体４は、シート本体２の先端部（図３の上方端部）に取り付けられており、その内部には、オゾン発生に必要な電圧をこのシート本体２の電極２１，２２に供給するための電池４１が収納されている。
具体的には、取手体４は、筒状のケース４０で形成され、その内部に、電源としての電池４１とスイッチ機構４２と昇圧回路４３とモニタ回路４４とを有している。
【００２７】
電池４１は、例えば、直流電圧６Ｖの乾電池であり、スイッチ機構４２を介して昇圧回路４３とモニタ回路４４とに電気的に接続されている。
昇圧回路４３は、電池４１から入力した６Ｖの直流電圧を例えば２ｋＶ〜１０ｋＶの交流電圧又はパルス電圧に昇圧して、シート本体２の電極２１，２２に供給する回路である。
【００２８】
スイッチ機構４２は、シート本体２がシート収納体３から引き出されると電極２１，２２への電源をオンし、また、シート本体２がシート収納体３に収納されると電源をオフにするための機構である。
図６は、スイッチ機構４２の構成を示す概略断面図である。
図６に示すように、スイッチ機構４２はピン体４２ａとスプリング４２ｂと固定端子４２ｃと可動端子４２ｄとで構成されている。
ピン体４２ａは、先端がケース４０の前壁４０ａに設けられた孔４０ｂに挿入されている。そして、スプリング４２ｂが、ピン体４２ａとケース４０との間に介在し、ピン体４２ａを前壁４０ａの外方に突出させるように付勢している。
一方、固定端子４２ｃは、電池４１の一方の出力端に電気的に接続され、可動端子４２ｄは、昇圧回路４３の一方の入力端とモニタ回路４４の一方の入力端とに電気的に接続されている。この可動端子４２ｄは、板バネ状の金属体であり、外力を受けていない場合には、ケース４０の後方（図６の上方）から前方（図６の下方）に向かって固定端子４２ｃに圧接している。したがって、ピン体４２ａによる押圧力を受けていない場合には、可動端子４２ｄは、固定端子４２ｃに接触している。しかし、破線で示すように、ピン体４２ａが後方に移動して、可動端子４２ｄを後方に押圧すると、可動端子４２ｄと固定端子４２ｃの接触状態が解除される。
【００２９】
モニタ回路４４は、電源のオン又はオフの状態，電池残量及び動作時間のいずれか又は全てを表示するための回路である。
図７は、モニタ回路４４の電池残量メータと電源ランプとを示す概略断面図である。
図７に示すように、モニタ回路４４は、スイッチ機構４２を介して電池４１に電気的に接続された電池残量メータ４４ａと電源ランプ４４ｂとでなり、これら電池残量メータ４４ａと電源ランプ４４ｂは、ケース４０の上壁４０ｃ上に取り付けられている。これにより、スイッチ機構４２が閉じて電池４１がオン状態になると、電源ランプ４４ｂが点灯し、電池残量メータ４４ａが、電池４１の現時点での電気残量を表示する。
【００３０】
次に、この実施例の除菌シート１の作用及び効果について説明する。
図８は、除菌シート１の使用例を示す側面図であり、図８の（ａ）は、シート本体２をシート収納体３に収納した状態を示し、図８の（ｂ）は、シート本体２をシート収納体３から引き出した状態を示す。
図８の（ａ）に示すように、シート本体２をシート収納体３に完全に収納させた状態では、シート収納体３の前壁３０ｃと取手体４の前壁４０ａとが、当接した状態になっている。かかる状態では、スイッチ機構４２のピン体４２ａが、シート収納体３の前壁３０ｃによって、取手体４の後方（図８（ａ）の右方）に押圧されている。このため、図６の破線で示したように、スイッチ機構４２の可動端子４２ｄが固定端子４２ｃと離れ、電池４１はオフ状態にある。つまり、図８の（ａ）に示す状態では、図６に示した電池４１の電圧が、昇圧回路４３とモニタ回路４４とに供給されないため、シート本体２のオゾン発生はなく、図７に示したモニタ回路４４の電池残量メータ４４ａや電源ランプ４４ｂが消灯状態にある。
【００３１】
かかる状態から、図８の（ｂ）に示すように、取手体４を持って、シート本体２をシート収納体３から引き出すと、シート収納体３の前壁３０ｃによるピン体４２ａへの押圧力が解け、ピン体４２ａが取手体４の前方（図８（ｂ）の左方）に移動する。このため、図６の実線で示したように、スイッチ機構４２の可動端子４２ｄが固定端子４２ｃと接触し、電池４１がオン状態になる。つまり、図８の（ｂ）に示すように、シート本体２をシート収納体３から引き出すことで、電池４１の電圧が、昇圧回路４３とモニタ回路４４とに供給され、昇圧された交流又はパルス状の電圧が、昇圧回路４３からシート本体２の電極２１，２２に供給されると共に、モニタ回路４４の電池残量メータ４４ａや電源ランプ４４ｂが点灯状態になる。
【００３２】
図９は、シート本体２からのオゾン発生状態を示す概略図である。
そして、図９に示すように、交流又はパルス状の電圧が、昇圧回路４３からシート本体２の電極２１，２２に印加されると、電極２１の櫛歯２１ａの極性と電極２２の櫛歯２２ａの極性とが、逆極性になり、放電が櫛歯２１ａ，２２ａ間に生じ、オゾンＯ3が発生する。この結果、矢印で示すように、多量のオゾンＯ3がシート本体２の上下に放出され、周囲の菌が除菌される。
【００３３】
ところで、図８の（ｂ）に示したように、シート本体２をシート収納体３から引き出すと、図５に示したように、回転体３１が回転し、巻取機構５の弾性力蓄積部５Ａが機能し、移動体５３が、回転するスパイラルロッド５２上を左方向に移動する。この結果、コイルスプリング５５が圧縮し、弾性力が蓄積される。
そして、シート本体２を所望長さだけ引き出した後、シート本体２を離すと、コイルスプリング５５への圧縮力が解け、弾性力が解放される。つまり、コイルスプリング５５が延びるように復旧し、弾性力蓄積部５Ａの移動体５３を右方向に押圧する。このため、移動体５３が、スパイラルロッド５２を逆回転させながら、右方向に移動し、回転体３１を逆方向に回転させようとする。しかし、このとき、巻取機構５のストッパ部５Ｂが機能し、回転体３１の逆回転を阻止する。この結果、シート本体２を離しても、シート本体２は引き出された状態で停止し、巻き戻されることはない。
したがって、ユーザは、図８の（ｂ）に示した取手体４を持って、シート本体２を所望長さまでシート収納体３から引き出して、その長さを維持することができる。
【００３４】
図１０は、除菌シート１をデスクトップパソコンのキーボード等の除菌に用いた例を示す斜視図である。
上記したように、除菌シート１は、シート本体２の引き出し長さを調節することができる。したがって、デスクトップパソコンのキーボードやマウスを除菌したい場合には、図１０に示すように、デスクトップパソコン１００のキーボード１０１やマウス１０２を覆う長さまで、シート本体２を引き出して、キーボード１０１とマウス１０２とに被せることができる。このとき、フレキシブルなシート本体２が、キーボード１０１とマウス１０２の形状に対応して変形する。この状態では、シート収納体３と取手体４とが離れているので、上記したように、図６に示した電池４１がオン状態になっている。このため、オゾンがシート本体２から放出されており、これらのオゾンが、キーボード１０１等の表面だけでなく、図示しないキーボタン側面やキーボタン奥の狭い隙間部分まで回り込み、キーボード１０１等の隅々まで除菌する。このとき、除菌作業中に、図７に示したモニタ回路４４の電池残量メータ４４ａや電源ランプ４４ｂを見ることで、電池残量や動作時間を確認することができる。
【００３５】
除菌作業終了後は、取手体４を持って、シート本体２を引っ張り、図５に示した回転体３１を、シート本体２の引き出し方向にわずかに回転させると、ストッパ部５Ｂが機能し、回転体３１の逆回転阻止状態が解除される。この結果、弾性力蓄積部５Ａの移動体５３が、スパイラルロッド５２を逆回転させながら、右方向に移動し、回転体３１を逆方向に回転させる。このため、シート本体２は、回転体３１に巻き戻され、シート収納体３内に収納される。
シート本体２を巻き戻した状態では、図８の（ａ）に示すように、除菌シート１は、シート収納体３と取手体４とが並んだコンパクトな形態になる。さらに、シート収納体３の前壁３０ｃと取手体４の前壁４０ａとが当接した状態になるので、スイッチ機構４２のピン体４２ａが、シート収納体３の前壁３０ｃによって後方に押圧され、図６の破線で示したように、電池４１がオフ状態になる。
【００３６】
図１１は、除菌シート１を他の電子機器の除菌に用いた例を示す斜視図であり、図１１の（ａ）は、ノートパソコンの除菌に用いた例を示し、図１１の（ｂ）は、スマートフォンの除菌に用いた例を示す。
上記したように、除菌シート１のシート本体２は長さを調整することができ、しかも、フレキシブルであるので、図１１の（ａ）に示すように、除菌シート１のシート本体２によって、ノートパソコン１１０のキーボード部１１１を覆ったり、スマートフォン１２０全体を包んだりして、これらの機器を除菌することができる。
このように、この実施例の除菌シート１によれば、１台の除菌シート１で、パソコンのキーボードだけでなく、マウスやスマートフォン等、各種サイズの電子機器を除菌することができる。
【００３７】
ここで、この実施例の除菌シート１が、電子機器以外の各種除菌対象物についても除菌が可能である点を、簡単に述べておく。
図１２は、除菌シートを電子機器以外の除菌対象物に用いた例を示す斜視図であり、図１２の（ａ）は、雑巾の除菌に用いた例を示し、図１２の（ｂ）は、タオルの除菌に用いた例を示し、図１２の（ｃ）は、まな板の除菌に用いた例を示し、図１２の（ｄ）は、スリッパの除菌に用いた例を示し、図１２の（ｅ）は、おもちゃの除菌に用いた例を示す。
【００３８】
図１２の（ａ）に示すように、除菌シート１を、布巾や雑巾等の拭取布１３０に被せて、作動させることで、拭取布１３０に付着している雑菌や食中毒菌を除菌することができるだけでなく、カビ臭等を脱臭することができる。
このように、除菌シート１を用いて、拭取布１３０の除菌をすることで、薬品や水を使用せずに、除菌することができるので、環境への負荷を減少することができる。
【００３９】
また、手や顔を拭くタオルでは、使用後長時間湿った場所に垂れ下げて置かれるため、雑菌等が繁殖しやすい。このような場合には、図１２の（ｂ）に示すように、除菌シート１をタオル１４０を覆う長さ迄延ばし、マグネットやマジックテープ（登録商標）等によって壁に掛けて、作動させる。これにより、タオル１４０の除菌が行われ、タオル１４０が、一日中、清潔に保たれる。
【００４０】
また、生肉や生魚を切るまな板には、食中毒菌が付着し、食器用洗剤で洗っても、これらの菌が残り、増殖するおそれがある。このような場合にも、図１２の（ｃ）に示すように、除菌シート１をまな板１５０に被せて作動させることで、残っている食中毒菌を除菌することができる。通常は、熱湯や塩素系漂白剤等をまな板１５０にかけて除菌するが、除菌シート１を使用することで、熱湯による火傷や、漂白剤による環境への負荷をなくすことができる。
【００４１】
さらに、スリッパ１６０は、洗濯機等で洗濯することができないので、そのまま放置しがちである。しかし、図１２の（ｄ）に示すように、除菌シート１で、スリッパ１６０を覆って除菌することにより、清潔なスリッパ１６０を維持することができる。
【００４２】
おもちゃのように小物の物体は、洗浄しにくい。特に、多数ある場合には、これらの小物を１つずつ清掃するには手間暇がかかる。このような場合には、図１２の（ｅ）に示すように、除菌シート１を、多数のおもちゃ１７０全体に被せて作動させることにより、多くのおもちゃ１７０を一度に除菌することができる。
【００４３】
（実施例２）
次に、この発明の第２実施例について説明する。
図１３は、この発明の第２実施例に係る除菌シートの要部を示す断面図であり、図１４は、図１３に示す要部を分解して示す斜視図である。
図１３に示すように、この実施例の除菌シートは、シート本体２’の構造が、上記第１実施例のシート本体２と異なる。
すなわち、一方の電極２１’のみが誘電体２０内部に収納され、他方の電極２２’−１は、誘電体２０の表面に設けられている。
【００４４】
具体的には、図１４に示すように、ベタ状の電極２１’が下層の誘電体層２０ｂ上に積層形成され、上層の誘電体層２０ａが、電極２１’を覆うように誘電体層２０ｂ上に積層されている。そして、電極２１’とほぼ同形の電極２２’−１が、誘電体層２０ａ上に形成されている。さらに、保護層２３が、電極２２’−１の上に積層されている。
また、電極２１’の角部には、端子部２１ａ’が設けられ、その上の誘電体層２０ａの角部には、端子部２１ａ’を覗く矩形状の給電口２０ｃが形成されている。さらに、給電口２０ｃと連通する給電口２３ａが、保護層２３の角部に設けられている。そして、昇圧回路４３の一方の出力端から延出した配線４３ａが、給電口２３ａと給電口２０ｃを通って、電極２１’の端子部２１ａ’に接続されている。
一方、電極２２’−１の角部には、端子部２２ａ’が設けられ、その上の保護層２３の角部には、端子部２２ａ’を覗く矩形状の給電口２３ｂが形成されている。そして、昇圧回路４３の他方の出力端から延出した配線４３ｂが、給電口２３ｂを通って、電極２２’−１の端子部２２ａ’に接続されている。
さらに、誘電体２０の表面に設けられた電極２２’−１には、多数の円形孔２２ｂ’が一定間隔で穿設されている。
この実施例のシート本体２’においても、上記第１実施例のシート本体２と同様に、シート本体２’全体を、全て高分子樹脂で形成した。すなわち、誘電体層２０ａ，２０ｂと保護層２３とを、それぞれポリイミド樹脂で形成しただけでなく、電極２１’，２２’−１も高分子樹脂である導電性ポリマーで形成した。
なお、この実施例では、保護層２３を、誘電体２０の表面にある電極２２’−１の上に設けたが、保護層２３は、必須の部材ではなく、場合によっては、設けることを要しない。
また、この実施例は、他の電極として、多数の円形孔２２ｂ’を有した電極２２’−１を適用したが、図１５の（ａ）に示すように、網状の電極２２’−２を他の電極として適用することができるし、図１５の（ｂ）に示すように、櫛歯状の電極２２’−３を他の電極として適用することもできる。
その他の構成、作用及び効果は、上記第１実施例と同様であるので、それらの記載は省略する。
【００４５】
なお、この発明は、上記実施例に限定されるものではなく、発明の要旨の範囲内において種々の変形や変更が可能である。
例えば、上記実施例では、シート本体２，２’の電極２１，２２，２１’，２２’−１も、誘電体２０と同じく高分子樹脂である導電性ポリマーで形成したが、電極２１，２２，２１’，２２’−１を銅等の金属箔や、炭素や銀等の導電性インクで形成しても良い。
また、上記第１実施例のシート本体２では、櫛歯状の１対の電極２１，２２を共に誘電体２０内に収納した構成を採用し、第２実施例のシート本体２’では、一方の電極２１’を誘電体２０内に収納すると共に他方の電極２２’−１を誘電体２０の表面に設けた構成を採用したが、シート本体の構成は、これに限らず、例えば、１対の電極を平板状に形成して、これら２つの電極を、一定間隔を保って、横並びにした構成にしても良く、また、一つの電極を共に渦巻き状に形成して、これら渦巻き状の１対の電極を一定の間隔を保って嵌め合わせた構成にしても良い。
また、上記実施例では、巻取機構５，スイッチ機構４２及びモニタ回路４４を備えた除菌シート１について例示したが、これらのいずれか又は全部を備えていない除菌シートも、この発明の範囲に含まれることは勿論である。
また、上記実施例では、電池４１や昇圧回路４３を取手体４側に設けたが、シート収納体３側に設けても良い。
さらに、上記実施例では、携帯性を図るため、電池４１を電源としたが、電池４１の代わりに交流の商用電源を使用する構成や、外部電源に接続されたＵＳＢケーブルを、取手体４のスイッチ機構４２に電気的に接続することができる構成にしても良い。
【符号の説明】
【００４６】
１…除菌シート、  ２，２’…シート本体、  ３…シート収納体、  ４…取手体、  ５…巻取機構、  ５Ａ…弾性力蓄積部、  ５Ｂ…ストッパ部、  ２０…誘電体、  ２０ａ，２０ｂ…誘電体層、  ２０ｃ，２３ａ，２３ｂ…給電口、  ２１，２２，２１’，２２’−１〜２２’−３…電極、  ２１ａ，２２ａ…櫛歯、 ２２ｂ’…円形孔、  ２１ａ’，２２ａ’…端子部、  ２３…保護層、  ３０，４０…ケース、  ３０ａ…右側壁、  ３０ｂ…左側壁、  ３０ｃ，４０ａ…前壁、  ３１…回転体、  ３１ａ…右側軸、  ３１ｂ，３１ｃ…軸受、  ４０ｂ…孔、  ４０ｃ…上壁、  ４１…電池、  ４２…スイッチ機構、  ４２ａ…ピン体、  ４２ｂ…スプリング、  ４２ｃ…固定端子、  ４２ｄ…可動端子、  ４３…昇圧回路、  ４３ａ，４３ｂ…配線、  ４４…モニタ回路、  ４４ａ…電池残量メータ、  ４４ｂ…電源ランプ、  ５０…円筒体、  ５１…遊星歯車装置、  ５２…スパイラルロッド、  ５３…移動体、  ５３ａ，５４…角筒体、  ５５…コイルスプリング、  １００…デスクトップパソコン、  １０１…キーボード、  １０２…マウス、  １１０…ノートパソコン、  １１１…キーボード部、  １２０…スマートフォン、  １３０…拭取布、  １４０…タオル、  １５０…まな板、  １６０…スリッパ、  １７０…おもちゃ、  Ｏ3…オゾン。
【図１】
2016190139.tif 000003
【図２】
2016190139.tif 000004
【図３】
2016190139.tif 000005
【図４】
2016190139.tif 000006
【図５】
2016190139.tif 000007
【図６】
2016190139.tif 000008
【図７】
2016190139.tif 000009
【図８】
2016190139.tif 000010
【図９】
2016190139.tif 000011
【図１０】
2016190139.tif 000012
【図１１】
2016190139.tif 000013
【図１２】
2016190139.tif 000014
【図１３】
2016190139.tif 000015
【図１４】
2016190139.tif 000016
【図１５】
2016190139.tif 000017
【国際調査報告】
2016190139.tif 000018
2016190139.tif 000019
2016190139.tif 000020
2016190139.tif 000021